(57)【要約】      （修正有）【課題】湿度センサ、圧力センサ等外気を導入する開口部を備えたセンサ装置であって、感度が高く、低コストで製造することができるセンサ装置およびその製造方法を提供する。【解決手段】貫通孔１０を設けた貫通孔形成部９を備えたプリモールドリードフレーム７に、センサチップ２表面が貫通孔に対向するように実装し、樹脂封止する構造となっている。また封止のための樹脂の一部は、プリモールド樹脂１３の段部１４に溜まり、センサチップ表面と貫通孔形成部との間に空間が残る構造となっている。【選択図】図１
2015129688.tif 000002
【特許請求の範囲】
【請求項１】
センサチップをリードフレームに実装し、樹脂封止したセンサ装置において、
前記リードフレームは、チップ実装面に、センサ装置外部と連通する貫通孔を備えた貫通孔形成部と前記センサチップ表面に形成された電極と接続するセンサチップ電極接続端子とを備え、前記チップ実装面の裏面側の外部実装面に外部接続端子を備えており、前記貫通孔形成部、前記センサチップ電極接続端子および前記外部接続端子間にプリモールド樹脂が充填され、少なくとも前記貫通孔形成部と前記センサチップ電極接続端子との間に充填された前記プリモールド樹脂の表面の高さが前記貫通孔形成部の表面の高さより低く形成されていることにより、前記貫通孔形成部表面と前記プリモールド樹脂表面との間に段部が形成されていることと、
前記センサチップ電極接続端子と前記センサチップ表面に形成された電極が接続されていることと、
前記チップ実装面表面の前記リードフレーム、前記プリモールド樹脂および前記センサチップ上が封止樹脂により被覆され、前記センサチップ表面と前記リードフレームの実装面との間の前記段部に前記封止樹脂の一部が入り込んでいるとともに、前記センサチップ表面と前記貫通孔形成部との間に空間が残り、該空間は前記貫通孔によりセンサ装置外部と連通するように封止されていることを特徴とするセンサ装置。
【請求項２】
センサチップをリードフレームに実装し、樹脂封止するセンサ装置の製造方法において、
チップ実装面に、センサ装置外部と連通する貫通孔を備えた貫通孔形成部および実装する前記センサチップの電極と接続されるセンサチップ電極接続端子とを備え、前記チップ実装面の裏面側の外部実装面に外部接続端子を備えたリードフレームを用意する工程と、
少なくとも外部実装面の前記リードフレーム表面はテープ材を貼り前記貫通孔を塞ぎ、チップ実装面の前記リードフレーム表面はフィルム材を介した状態で、前記リードフレームをプリモールド用金型で挟持することにより、少なくとも前記チップ実装面の前記貫通孔形成部と前記センサチップ電極接続端子との間隙に前記フィルム材を突出させた状態で、前記リードフレームの前記貫通孔形成部、前記センサチップ電極接続端子および前記外部接続端子の間に、前記フィルム材の突出した形状に沿ってプリモールド樹脂を充填し、プリモールドリードフレームを形成する工程と、
前記センサチップ表面が、前記貫通孔に対向するように前記センサチップ電極端子と前記センサチップ表面に形成された電極を接続する工程と、
前記リードフレームのチップ実装面に露出する前記リードフレーム、前記プリモールド樹脂および前記センサチップ上を被覆し、前記センサチップ表面と前記リードフレームの実装面との間に封止樹脂を注入するとともに、前記フィルム材の突出形状に沿って形成されたプリモールド樹脂の段部に前記封止樹脂が溜まり、前記センサチップ表面と前記貫通孔形成部との間に空間を残すように樹脂封止を行う工程と、
前記リードフレームの外部実装面側から、前記テープ材により前記貫通孔を塞いだ状態で個片化する工程と、を含むことを特徴とするセンサ装置の製造方法。
【請求項３】
請求項２記載のセンサ装置の製造方法において、樹脂封止する工程は、減圧状態で、前記リードフレームのチップ実装面に露出する前記リードフレーム、前記プリモールド樹脂および前記チップ上を樹脂シートで被覆し、前記減圧状態を破り常圧状態にすることにより前記樹脂シートを加圧し、前記フィルム材の突出形状に沿って形成されたプリモールド樹脂の段部に前記封止樹脂が溜まり、前記チップ表面と前記空間形成部との間に空間を残すように樹脂封止することを特徴とするセンサ装置の製造方法。
【請求項４】
請求項２または３いずれか記載のセンサ装置の製造方法において、前記個片化する工程は、前記封止樹脂にダイシング用テープ材を貼り付ける工程を含み、前記個片化工程の後、前記リードフレームの外部実装面から前記テープ材を剥離し、前記貫通孔を通してセンサ装置内部の空間と外部とが連通した状態で、前記ダイシング用テープ材上に個片化したセンサ装置を整列配置する工程を含むことを特徴とするセンサ装置の製造方法。
【請求項５】
請求項４記載のセンサ装置の製造方法において、前記ダイシング用テープ材上に整列配置したセンサ装置に、前記センサチップがセンシングする物理量を印加して前記センサ装置の特性テストを行う工程を含むことを特徴とするセンサ装置の製造方法。
【発明の詳細な説明】
【技術分野】
【０００１】
本発明は、湿度センサ、圧力センサ等のセンサ装置およびその製造方法に関し、特に湿度、圧力等をパッケージ内に導入する開口部を備えたセンサ装置およびその製造方法に関する。
【背景技術】
【０００２】
近年、各種センサの小型化、軽量化に伴い、携帯用機器への搭載が進んでおり、スマートフォンやヘルスケア機器に温湿度計や気圧計が搭載されてきている。例えば、気圧を測定する圧力センサは、圧力センサチップを中空パッケージに実装し、パッケージの内部と外部を連通させるため、パッケージの一部に開口部を設ける構造となっている（例えば特許文献１）。
【０００３】
ところで小型化、軽量化された半導体装置のパッケージを形成する場合、複数のチップを基板上に実装させた後、樹脂により一括封止し、樹脂と実装基板をダイシングソーを用いて切断するＭＡＰ（Mold Array Package）方式と呼ばれる方法を採用するのが生産性向上のためには好ましい。一般的に、ダイシングソーを用いて切断を行う場合、切断時に発生する熱を冷却するためにパッケージに冷却水をかけながら切断を行う必要がある。
【０００４】
上記特許文献１では、切断方法について言及されていないが、ダイシングソーを用いて切断する方法では、パッケージの開口部からパッケージ内部に水や切削屑が入り込んでしまい好ましくない。
【０００５】
このような問題を解消する方法として図１０に示す圧力センサパッケージが提案されている。図１０において、図１０（ａ）は圧力センサパッケージの断面図、図１０（ｂ）は圧力センサパッケージの蓋部を取り外したパッケージ内部の平面図、図１０（ｃ）は図１０（ｂ）のＡ−Ａ´面の断面図を示している。図１０に示すように、パッケージ本体３０内にセンサチップ３１が実装され、ワイヤによりセンサチップ３１の電極とパッケージの電極とが接続されている。センサチップ３１には、図１０（ａ）に示すように真空状態の空間部からなるキャビティ３２が形成されており、ダイアフラム３３が、パッケージ本体３０と蓋部３４との間の空間３５の圧力に応じてゆがみ、ダイアフラム３３上に形成された図示しないピエゾ抵抗の抵抗値の変化から圧力を検出する構成となっている。また、パッケージ本体３０には、図１０（ｂ）（ｃ）に示すように、パッケージ外部と連通する圧力導入孔３６が形成されている。
【０００６】
ここで個片化の際、圧力導入孔３６から水、切削屑等の異物が流入するのを防止するため、パッケージ本体３０の底面側から、径を小さくした形状となっている。この種のパッケージは特許文献２に開示されており、図１０に示す構造の他、圧力導入孔３６をパッケージ本体側面に形成するとともに、パッケージ内側から外側に向かった下がる傾斜面を形成する例や、圧力貫通孔に通気樹脂を充填する例も開示されている。
【先行技術文献】
【特許文献】
【０００７】
【特許文献１】特開２０１１−６４５０９号公報
【特許文献１】特開２０１２−２０７９３１号公報
【発明の概要】
【発明が解決しようとする課題】
【０００８】
ところで、従来提案されているセンサ用パッケージにおいて、圧力導入孔３６から水が侵入しないようにするためには、その直径を０．１ｍｍ程度と非常に小さくする必要がある。しかし圧力導入孔３６の径が小さくなると、センサ特性への影響が無視できなくなってしまう。
【０００９】
また、空気を通し、水を通さない通気樹脂を圧力導入孔に充填することも提案されているが、通気樹脂の存在によって、応答スピード等特性への影響が懸念される。
【００１０】
さらにまた、個片化の際、圧力導入孔３６に水、切削屑等の異物が混入するのを防止するため、パッケージ本体３０の底面側をダイシングテープ等に接着させると、特性テストを行う際には、一旦ダイシングテープを除去し、パッケージ端子３７を露出させる必要があるため、別のテープに貼り付け直すか、センサ装置を１個ずつピックアップする必要があり、製造コストの上昇を招いてしまう。
【００１１】
そこで本発明は、上記問題点を解消し、湿度センサ、圧力センサ等外気を導入する開口部を備えたセンサ装置であって、感度が高く、低コストで製造することができるセンサ装置およびその製造方法を提供することを目的とする。
【課題を解決するための手段】
【００１２】
上記目的を達成するため、本願請求項１に係る発明は、センサチップをリードフレームに実装し、樹脂封止したセンサ装置において、前記リードフレームは、チップ実装面に、センサ装置外部と連通する貫通孔を備えた貫通孔形成部と前記センサチップ表面に形成された電極と接続するセンサチップ電極接続端子とを備え、前記チップ実装面の裏面側の外部実装面に外部接続端子を備えており、前記貫通孔形成部、前記センサチップ電極接続端子および前記外部接続端子間にプリモールド樹脂が充填され、少なくとも前記貫通孔形成部と前記センサチップ電極接続端子との間に充填された前記プリモールド樹脂の表面の高さが前記貫通孔形成部の表面の高さより低く形成されていることにより、前記貫通孔形成部表面と前記プリモールド樹脂表面との間に段部が形成されていることと、前記センサチップ電極接続端子と前記センサチップ表面に形成された電極が接続されていることと、前記チップ実装面表面の前記リードフレーム、前記プリモールド樹脂および前記センサチップ上が封止樹脂により被覆され、前記センサチップ表面と前記リードフレームの実装面との間の前記段部に前記封止樹脂の一部が入り込んでいるとともに、前記センサチップ表面と前記貫通孔形成部との間に空間が残り、該空間は前記貫通孔によりセンサ装置外部と連通するように封止されていること特徴とする。
【００１３】
本願請求項２に係る発明は、センサチップをリードフレームに実装し、樹脂封止するセンサ装置の製造方法において、チップ実装面に、センサ装置外部と連通する貫通孔を備えた貫通孔形成部および実装する前記センサチップの電極と接続されるセンサチップ電極接続端子とを備え、前記チップ実装面の裏面側の外部実装面に外部接続端子を備えたリードフレームを用意する工程と、少なくとも外部実装面の前記リードフレーム表面はテープ材を貼り前記貫通孔を塞ぎ、チップ実装面の前記リードフレーム表面はフィルム材を介した状態で、前記リードフレームをプリモールド用金型で挟持することにより、少なくとも前記チップ実装面の前記貫通孔形成部と前記センサチップ電極接続端子との間隙に前記フィルム材を突出させた状態で、前記リードフレームの前記貫通孔形成部、前記センサチップ電極接続端子および前記外部接続端子の間に、前記フィルム材の突出した形状に沿ってプリモールド樹脂を充填し、プリモールドリードフレームを形成する工程と、前記センサチップ表面が、前記貫通孔に対向するように前記センサチップ電極端子と前記センサチップ表面に形成された電極を接続する工程と、前記リードフレームのチップ実装面に露出する前記リードフレーム、前記プリモールド樹脂および前記センサチップ上を被覆し、前記センサチップ表面と前記リードフレームの実装面との間に封止樹脂を注入するとともに、前記フィルム材の突出形状に沿って形成されたプリモールド樹脂の段部に前記封止樹脂が溜まり、前記センサチップ表面と前記貫通孔形成部との間に空間を残すように樹脂封止を行う工程と、前記リードフレームの外部実装面側から、前記テープ材により前記貫通孔を塞いだ状態で個片化する工程と、を含むことを特徴とする。
【００１４】
本願請求項３に係る発明は、請求項２記載のセンサ装置の製造方法において、樹脂封止する工程は、減圧状態で、前記リードフレームのチップ実装面に露出する前記リードフレーム、前記プリモールド樹脂および前記チップ上を樹脂シートで被覆し、前記減圧状態を破り常圧状態にすることにより前記樹脂シートを加圧し、前記フィルム材の突出形状に沿って形成されたプリモールド樹脂の段部に前記封止樹脂が溜まり、前記チップ表面と前記空間形成部との間に空間を残すように樹脂封止することを特徴とする。
【００１５】
本願請求項４に係る発明は、請求項２または３いずれか記載のセンサ装置の製造方法において、前記個片化する工程は、前記封止樹脂にダイシング用テープ材を貼り付ける工程を含み、前記個片化工程の後、前記リードフレームの外部実装面から前記テープ材を剥離し、前記貫通孔を通してセンサ装置内部の空間と外部とが連通した状態で、前記ダイシング用テープ材上に個片化したセンサ装置を整列配置する工程を含むことを特徴とする。
【００１６】
本願請求項５に係る発明は、請求項４記載のセンサ装置の製造方法において、前記ダイシング用テープ材上に整列したセンサ装置に、前記センサチップがセンシングする物理量を印加して前記センサ装置の特性テストを行う工程を含むことを特徴とする。
【発明の効果】
【００１７】
本発明のセンサ装置は、センサチップ電極接続端子とセンサチップ表面に形成された電極との接続部分が封止樹脂によって被覆されているため、耐湿性、耐振動性などの信頼性が向上できる。またこのような構造を採ることで、センサチップ表面に形成された電極をアルミニウムで構成することができ、高価な金を使用する必要がなくなり、製造コストを抑えることができるという利点がある。
【００１８】
また、本発明の製造方法によるセンサ装置は、個片化の工程では、パッケージ内部の空間とパッケージ外部を連通する貫通孔は、テープ材（プリモールドテープ１７）により被覆されているため、ダイシングソーを用いて切断しても、パッケージ内部に水や切削屑が入り込むことを防止するので、生産性の優れたＭＡＰ方式により形成することが可能となった。
【００１９】
さらにまた個片化後は、貫通孔を被覆するテープ材を剥離することで、パッケージ内部の空間とパッケージ外部が連通した状態となり、しかもダイシング用テープ材（ダイシングテープ２３）上に個片化したセンサ装置が外部接続端子を表面に露出して整列した状態となるため、その後の特性テストや実装のピックアップが容易になるという利点がある。
【００２０】
特に、パッケージ内部の空間とパッケージ外部が連通した状態でダイシング用テープ材上に整列配置されているため、センサチップがセンシングする物理量を印加しながら特性テストを行うことができ、非常に作業性が良いという利点がある。また、ＭＡＰ方式により一体成形することにより発生する内在応力は、個片化によって開放されているため、センサ装置としての正確な特性テストを行うことができるという利点もある。
【図面の簡単な説明】
【００２１】
【図１】本発明のセンサ装置の説明図である。
【図２】本発明のセンサ装置の製造方法の説明図である。
【図３】本発明のセンサ装置の製造方法の説明図である。
【図４】本発明のセンサ装置の製造方法の説明図である。
【図５】本発明のセンサ装置の製造方法の説明図である。
【図６】本発明のセンサ装置の製造方法の説明図である。
【図７】本発明のセンサ装置の製造方法の説明図である。
【図８】本発明のセンサ装置の製造方法の説明図である。
【図９】本発明のセンサ装置の製造方法の説明図である。
【図１０】従来のこの種のセンサ装置の説明図である。
【発明を実施するための形態】
【００２２】
本発明のセンサ装置は、貫通孔を設けた貫通孔形成部を備えたプリモールドリードフレームに、センサチップ表面が貫通孔に対向するように実装し、樹脂封止する構造となっている。また封止樹脂の一部は、プリモールド樹脂の段部によって形成された空間まで流入し、段部に溜まることでそれ以上の流入が止まり、センサチップ表面と貫通孔形成部との間に空間が残る構造となっている。
【００２３】
本発明のセンサ装置の製造方法は、貫通孔をテープ材で被覆した状態で切断し、個片化するため、生産性の優れたＭＡＰ方式を採用することを可能としている。また、プリモールド樹脂を形成する際、樹脂溜まりとして機能する段部を形成することで、封止樹脂がセンサチップ表面と貫通孔形成部との間に深く入り込むことを防ぐ構造を形成することができる。また段部は、センサチップ表面の電極とセンサチップ電極接続端子との接続部より内側に位置するため、その接続部は封止樹脂により被覆される構造を形成することができる。以下、本発明の実施例について詳細に説明する。
【実施例１】
【００２４】
まず、本発明の実施例について圧力センサを例にとり、詳細に説明する。図１は本発明の圧力センサの説明図で、貫通孔を通る面の断面図である。図１において１はセンサ本体、２はセンサチップ、３はキャビティ、４はダイアフラム、５はセンサチップ電極、６はバンプ電極、７はリードフレーム、８は空間、９は貫通孔形成部、１０は貫通孔、１１はバンプ電極６を介してセンサチップ２の表面に形成された電極と接続し、貫通孔形成部９を取り囲むように複数個形成されているセンサチップ電極接続端子、１２はリードフレーム７の裏面側に露出し、センサ本体１の周囲に沿って複数個形成されている外部接続端子、１３はプリモールド樹脂、１４は貫通孔形成部９およびセンサチップ電極接続端子１１表面の高さとプリモールド樹脂１３表面の高さとの間に生じる段部、１５は封止樹脂である。
【００２５】
センサチップ２には、従来例で説明したセンサチップ同様、真空状態の空間部からなるキャビティ３が形成されており、ダイアフラム４が、センサチップ２とリードフレーム７との間の空間８の圧力に応じてゆがみ、ダイアフラム４上に形成された図示しないピエゾ抵抗の抵抗値の変化から圧力を検出する構成となっている。
【００２６】
ここで本発明では、リードフレーム７のセンサチップ２に対向する部分、即ち通常のリードフレームにおいてダイアイランドに相当する部分に貫通孔１０を備えた貫通孔形成部９が形成されている。この貫通孔１０は直径が０．２ｍｍ（開口面積０．０３１ｍｍ2）程度の円形とすることで、センサチップ２の高速応答性を確保している。
【００２７】
また、リードフレーム７のチップ実装面には、貫通孔形成部９のほか、センサチップ２の表面に形成されたセンサチップ電極５とバンプ電極６を介して接続するセンサチップ電極接続端子１１が形成されており、チップ実装面の裏面の外部実装面には、外部接続端子１２が形成されている。また、貫通孔形成部９、センサチップ電極接続端子１１および外部接続端子１２の間にはプリモールド樹脂１３が充填されている。ここで、チップ実装面のプリモールド樹脂１３の表面の高さは、貫通孔形成部９やセンサチップ電極接続端子１１の表面の高さより低くなっており、段部１４が形成されている。また図１には図示されていないが、貫通孔形成部９を取り囲むように形成された複数のセンサチップ電極接続端子１１の内、隣接する２つの端子間に充填されたプリモールド樹脂の高さも低く形成されており、センサチップ電極接続端子１１を取り囲むように段部１４が形成されている。本発明は、この段部１４により拡げられた空間に封止樹脂が留まり、封止樹脂１５がセンサチップ２の下側の奥深くまで入り込むことを防止し、センサチップ２表面と貫通孔形成部９との間に空間８が残り、この空間８は貫通孔１０を通してセンサ装置外部と連通するように構成している。なお、図１では、封止樹脂１５の一部が貫通孔形成部９上に一部乗り上げた状態に図示しているが、必ずしもこのような形状とすることが必須ではない。
【００２８】
次に本発明の圧力センサの製造方法について説明する。まず、リードフレームについて説明する。図２は本発明に使用するリードフレームの一例の一部を拡大した図で、図２（ａ）はチップ実装面の、図２（ｂ）は外部実装面の一部拡大図である。図２（ａ）に示すように、チップ実装面には、貫通孔１０を備えた貫通孔形成部９と、これを取り囲むようにセンサチップ表面に形成された電極と接続するセンサチップ電極接続端子１１が形成されている。図２（ａ）では、１０個のセンサチップ電極接続端子１１が形成されている。一般的なリードフレーム同様、各端子間には連結部１６が形成されており、貫通孔形成部９と連結部１６との間には吊りピンが形成されている。また図２（ｂ）に示すように、チップ実装面の裏面の外部実装面には、貫通孔１０を備えた貫通孔形成部９と、これを取り囲むように外部接続端子１２が形成されている。図２（ｂ）では、１０個の外部接続端子が形成されている。
【００２９】
このリードフレームは、板厚が０．２ｍｍ程度で、所望のパターニングを行った後、両面からエッチングすることで、図２に示すパターンが形成される。また樹脂によるプリモールドの際の樹脂の流動性を高めるため、貫通孔形成部９に繋がる吊りピンおよび連結部１６は、一方の面（例えばチップ実装面）側から板厚の半分程度までハーフエッチングされている。
【００３０】
次にリードフレームのプリモールド工程について説明する。まず、リードフレーム７の外部実装面側に、プリモールドテープ１７（テープ材に相当）の接着面を貼り付ける。このプリモールドテープ１７は、厚さ３０μｍ程度で耐熱性に優れた材料からなり、具体的には、ポリイミドテープ、ポリエチレンテレフタレートテープを使用することで２００℃以上の耐熱性が得られる。図３に示すように、プリモールドテープ１７は、貫通孔１０を塞ぎ、プリモールドの際の樹脂漏れを防止し、リードフレームが金型１９に吸着することを可能としている。プリモールドテープ１７の接着剤は、ＵＶ光を照射することで接着力が低下するものを使用すると、後述するプリモールドテープ１７を剥離する際、好適である。
【００３１】
またリードフレーム７のチップ実装面側は、プリモールドフィルム１８（フィルム材に相当）を介して金型１９に挟持される。このプリモールドフィルム１８は、厚さ５０μｍ程度で通常のプリモールド工程に使用される樹脂フィルムであり、具体的にはフッ素系フィルムであるフレックス５０ＨＫ（旭硝子社製）を使用することができる。図３に示すように、プリモールドフィルム１８は、金型１９に挟持されることで、リードフレームに形成された貫通孔形成部９とセンサチップ電極接続端子１１の間隙の空間に入り込む（突出する）ことになる。このようにプリモールドフィルム１８が変形することで、後述する段部が形成される。この段部は貫通孔形成部９およびセンサチップ電極接続端子１１の表面より、２０μｍ程度入り込む。
【００３２】
このようにリードフレームをプリモールドテープ１７およびプリモールドフィルム１８を介して金型で挟持した状態で、プリモールド樹脂１３を注入、硬化させる。その結果、図３に示すように、プリモールドテープ１７とプリモールドフィルム１８との間の間隙にプリモールド樹脂１３が充填される。プリモールド樹脂１３は、リードフレーム７の板厚以下の狭い通路（連結部１６のハーフエッチング部分）や端子間を通り、リードフレーム基板全体に充填させるため、例えばスパイラルフロー２００ｃｍ程度の流動性の高い樹脂を使用するのが好ましい。本発明によれば、プリモールドフィルム１８の形状に沿ってプリモールド樹脂が充填されるため、段部１４が形成されることになる。
【００３３】
金型１９およびプリモールドフィルム１８を取り外し、露出したリードフレーム７のセンサチップ電極接続端子１１にセンサチップ２の表面に形成されたセンサチップ電極５を金で形成したバンプ電極６を介してフリップチップ接続する（図４）。このような接続構造とすることで、センサチップ２に形成されているキャビティ３が貫通孔１０に対向する構造となる。
【００３４】
次に、樹脂封止を行う。まず、センサチップ２を実装したリードフレーム７を減圧容器２０内の加熱プレート２１上に載置し、減圧容器２０内を１×１０4Ｐａ程度まで減圧する。樹脂シート２２およびダイシングテープ２３は、減圧された状態で、ローラー２４を使い周囲を隙間無く貼り付ける（図５）。ここで使用する樹脂シート２２は、流動性の少ない樹脂を選択する。一例としてナガセケムテックス社製のＡ２０２９を使用した。またダイシングテープ２３は、後述する個片化後にセンサ装置を配列保持するためのテープであり、塩化ビニル（ＰＶＣ）、ポリオレフィン（ＰＯ）基材等からなる一般的なダイシングテープを使用することができる。この貼り付けの際、加熱プレート２１で８０℃程度に加熱される。
【００３５】
その後、減圧容器２０を大気圧に戻すと、樹脂シート２２で囲まれる内部の圧力と外部の圧力差により樹脂シート２２が隙間に入り込み樹脂封止されることになる。図６は、樹脂封止された状態を示す図である。図６に示すように、樹脂シート２２が隙間に流入して封止樹脂１５が形成される。ここで封止樹脂１５の一部は、プリモールド樹脂１３上まで流入してくる。しかし本発明では、プリモールド樹脂１３表面に形成された段部１４が樹脂溜まりとして機能し、さらに貫通孔１０は、プリモールドテープ１７によって塞がれているため、封止樹脂１５の隙間への流入は所定の位置で止まり、空間８が残ることになる。なお、空間８の容積は、図５で説明した減圧容器内の圧力や、使用する樹脂シート２２の種類、さらに加熱プレート２１による加熱条件、接合後のバンプ６の高さ等を変えることで、再現性良く制御することができる。
【００３６】
個片化は、通常の方法により行う。即ち、封止樹脂１５表面に接着したダイシングテープ２３面の反対側から、ダイシングソー２５を用いて個片化する。この個片化は、水をかけながらダイシングソー２５を回転させて切断する。このときダイシングソー２５はリードフレーム７、封止樹脂１５を切断し、ダイシングテープ２３に達する。プリモールドテープ１７はリードフレーム７に密着しており、貫通孔１０はプリモールドテープ１７によって被覆された状態が保たれることになる。その結果、貫通孔１０内に水や切断屑２６が入り込むことはない。また、リードフレーム７にはプリモールドテープ１７が接着しているため、ダイシングソー２５が、リードフレーム７の連結部を切断して電極を形成する際に、電極部にバリ等が発生することが防止できる。
【００３７】
次にプリモールドテープ１７にＵＶ光を照射して接着強度を低下させた後、低下した接着強度より強い接着力を有する別のテープ材２７をプリモールドテープ１７上に貼り付け、別のテープ材２７とともにプリモールドテープ１７を剥離、除去する。プリモールドテープ１７の除去により、貫通孔１０は、外部と連通し、圧力センサとして機能することになる。この状態から個片化された圧力センサをそれぞれピックアップして所望の実装を行うことができる。このように本発明によれば、ＭＡＰ方式により開口部を備えた圧力センサを形成することが可能となった。
【実施例２】
【００３８】
次に、圧力センサの製造工程中で性能テストを行う場合について説明する。実施例１で説明したように、ダイシングテープ２３上に個片化された圧力センサが整列した状態となったところで、性能テストを行う。通常の半導体集積回路における電気特性のテストと異なり、圧力センサに所望の圧力が印加された状態で性能テストを行う。例えば、図９に示すコンタクトプローブ２８、冷熱プレート２９を含むテスト装置を圧力を可変できるボックス内に収納し、所望の圧力印加時の圧力センサの出力を測定し、圧力センサの良否判定を行う。本発明の圧力センサは、プリモールドテープ１７上に整列した状態となっているため、コンタクトプローブ２６をセンサチップ電極接続子１１に接触させ、通常の方法で特性テストを行うことが可能となる。
【００３９】
パッケージ本体にクラックや剥離等が発生している場合、この性能テスト工程で不良品として選別することができる。
【００４０】
図９に示すような冷熱プレート２９上に圧力センサを載置してウエハテストを行う場合、ダイシングテープ２３としてＰＶＣやＰＯ基材を選択すると、７０℃〜−２０℃程度の温度範囲で可変することが可能となる。ダイシングテープ２３は、図示しない吸着手段によって冷熱プレート２９上に固定しても良い。また減圧状態でテストすることで、吸着手段による固定が不十分となる場合には、機械的な固定手段により固定しても良い。冷熱プレート２９は、ペルチェ素子や恒温液体を流す配管を埋め込んだステンレス材等の金属で構成することで、特性テストを行う圧力センサを所望の温度に、迅速かつ安定に到達させることが可能となる。
【００４１】
以上、本発明の実施例について圧力センサを例にとり説明したが、本発明のセンサ装置は圧力センサに限定されるものではなく、パッケージ内部に搭載するセンサチップの種類を種々変更することで、湿度センサ等、センサ内に外部の物理量を導入して検知するためにパッケージに開口部を備える必要のあるセンサに適用することができる。
【符号の説明】
【００４２】
１： センサ本体、２、３１：圧力センサチップ、３、３２：キャビティ、４、３３：ダイアフラム、５：センサチップ電極、６：バンプ電極、７：リードフレーム、８、３５：空間、９：貫通孔形成部、１０：貫通孔、１１：センサチップ電極接続端子、１２：外部接続端子、１３：プリモールド樹脂、１４：段部、１５：封止樹脂、１６：連結部、１７：プリモールドテープ、１８：プリモールドフィルム、１９：金型、２０：減圧容器、２１：加熱プレート、２２：樹脂シート、２３：ダイシングテープ、２４：ローラー、２５：ダイシングソー、２６：切断屑、２７：別のテープ材、２８：コンタクトプローブ、２９：冷熱プレート、３０：パッケージ本体、３４：蓋部、３６：圧力導入孔
【図１】
2015129688.tif 000003
【図２】
2015129688.tif 000004
【図３】
2015129688.tif 000005
【図４】
2015129688.tif 000006
【図５】
2015129688.tif 000007
【図６】
2015129688.tif 000008
【図７】
2015129688.tif 000009
【図８】
2015129688.tif 000010
【図９】
2015129688.tif 000011
【図１０】
2015129688.tif 000012